(57)【要約】【課題】読み取りに適さない原稿を搬送前に検出し、不要な搬送を抑制できる画像読取装置を提供する【解決手段】原稿をセットする原稿トレイと、原稿トレイにセットされている原稿を撮像して撮像データを生成する撮像部と、制御部と、を備え、制御部は、撮像データに基づいて原稿トレイにセットされている原稿が画像読取部による読み取りに適した原稿か否か判断して、判断結果を通知部を介して通知する画像読取装置。【選択図】図４
2018101844.tif 000002
【特許請求の範囲】
【請求項１】
原稿をセットする原稿トレイと、
読取位置にある前記原稿の画像を読み取るとともに画像データを生成する画像読取部と、
前記原稿トレイにセットされている前記原稿を前記読取位置に搬送する原稿搬送部と、
前記原稿トレイにセットされている原稿を撮像して撮像データを生成する撮像部と、
各種情報を通知する通知部と、
制御部と、を備え、
前記制御部は、前記撮像データに基づいて前記原稿トレイにセットされている原稿が前記画像読取部による読み取りに適した原稿か否か判断して、判断結果を前記通知部を介して通知することを特徴とする画像読取装置。
【請求項２】
前記制御部が、前記原稿トレイにセットされている原稿が前記画像読取部による読み取りに適していないと判断したときに、
前記制御部は、
前記原稿搬送部による原稿の搬送を停止するとともに、前記通知部を利用して前記原稿トレイにセットされている原稿が前記画像読取部による読み取りに適していないことの通知を行う請求項１に記載の画像読取装置。
【請求項３】
前記原稿トレイには、画像が形成された面を上方に向けた複数の原稿が積層されてセットされ、
前記原稿搬送部は、前記原稿トレイにセットされている複数の原稿のうち最も上の原稿から順に１枚ずつ搬送し、
前記撮像部は、前記原稿トレイにセットされている複数枚の原稿のうち、最も上の原稿を撮像する請求項１又は請求項２に記載の画像読取装置。
【請求項４】
前記撮像部は、原稿の全体を１画像とする撮像データを生成可能である請求項１から請求項３のいずれかに記載の画像読取装置。
【請求項５】
前記制御部は、前記撮像データに描画オブジェクトが含まれているか否か判断し、描画オブジェクトが含まれていない場合に前記画像読取部による読み取りに適していない原稿であると判断する請求項１から請求項４のいずれかに記載の画像読取装置。
【請求項６】
前記制御部は、前記撮像データから前記原稿が綴じられているか否か判断し、綴じられていると判断したときに前記画像読取部による読み取りに適していない原稿であると判断する請求項１から請求項５のいずれかに記載の画像読取装置。
【請求項７】
描画オブジェクトを含む比較画像データが記憶されたデータベースをさらに備えており、
前記制御部は、前記データベースに記憶された前記比較画像データと、前記撮像データとを比較して前記画像読取部による読み取りに適した原稿か否か判断する請求項１から請求項６のいずれかに記載の画像読取装置。
【請求項８】
請求項１から請求項７のいずれかに記載の画像読取装置と、
前記画像読取装置で読み取った画像データに基づいてシートに画像を形成する画像形成部とを備えた画像形成装置。
【発明の詳細な説明】
【技術分野】
【０００１】
本発明は、原稿に形成された画像を読み取る画像読取装置に関し、さらに、画像読取装置を備えた画像形成装置に関する。
【背景技術】
【０００２】
画像形成装置には、原稿トレイに積載された複数枚の原稿を一枚ずつ読取位置に搬送し、原稿に形成された画像を読み取る画像読取装置を備えたものがある（例えば、特許文献１等参照）。特許文献１の画像形成装置では、原稿が搬入される部分に原稿の表面画像を順次判定する第１画像判定手段と第２画像判定手段とを有している。第１画像判定手段は、ＣＣＤ等の反射型センサユニットを含み原稿の一部の領域の画像濃度を検出可能である。そして、第２画像判定手段は、画像読取装置であり、原稿の画像を読み取る。
【０００３】
特許文献１の画像形成装置では、搬送された画像に対して、まず、第１画像判定手段で表面に画像があるか否か判断し、その後、画像があると判断された場合には通常コピーを行う。画像が無いと判断された場合には、第２画像判定手段で再度、原稿の表面の画像の確認を行い、白紙、表に画像あり、裏に画像ありのいずれかに分類して、その後、それらに対応した処理を行っている。例えば、白紙の場合には、画像の読み取りを行わずに原稿を排出し、表に画像ありの場合には通常のコピーに移行し、裏に画像ありの場合には、読み取り画像に鏡像処理を行う。このような構成とすることで、原稿の判定精度を高めている。
【先行技術文献】
【特許文献】
【０００４】
【特許文献１】特開平９−１５４０１４号公報
【発明の概要】
【発明が解決しようとする課題】
【０００５】
しかしながら、特許文献１の画像形成装置では、原稿を第１画像判定手段及び第２画像判定手段まで搬送しなくてはならず、搬送された原稿が白紙の場合、白紙の原稿の搬送に要する時間及び電力が無駄になる。
【０００６】
また、ステイプル等で綴じられた原稿がセットされた場合、綴じられた状態の原稿が搬送されてしまう恐れがあり、原稿の詰まり、破損や搬送路、読取装置の故障の原因となり得る。
【０００７】
本発明は、上記従来技術の問題点に鑑み、読み取りに適さない原稿を搬送前に検出し、不要な原稿の搬送を抑制できる画像読取装置を提供することを目的とする。
【課題を解決するための手段】
【０００８】
上記目的を達成するために、請求項１にかかる、画像読取装置は、原稿をセットする原稿トレイと、読取位置にある前記原稿の画像を読み取るとともに画像データを生成する画像読取部と、前記原稿トレイにセットされている前記原稿を前記読取位置に搬送する原稿搬送部と、前記原稿トレイにセットされている原稿を撮像して撮像データを生成する撮像部と、各種情報を通知する通知部と、制御部と、を備え、制御部は、前記撮像データに基づいて前記原稿トレイにセットされている原稿が前記画像読取部による読み取りに適した原稿か否か判断して、判断結果を前記通知部を介して通知することを特徴とする。
【発明の効果】
【０００９】
本発明によれば、搬送トレイに配置された状態の原稿が、原稿読取部での読み取りに適しているかいないか判断することができるため、読み取りに適していない原稿が搬送されるのを抑制し、不要な原稿の搬送を抑制することが可能である。
【図面の簡単な説明】
【００１０】
【図１】実施形態に係る複合機の一例を示す図である。
【図２】実施形態に係る画像読取装置の一例を示す図である。
【図３】実施形態に係る原稿搬送部と画像読取部の一例を示す図である。
【図４】実施形態に係る画像読取装置で画像を読み取る動作を示すフローチャートである。
【図５】原稿がセットされていないことを表示パネルに表示する原稿なし画面である。
【図６】白紙原稿があるときに表示パネルに表示する白紙原稿注意画面である。
【図７】原稿トレイにセットされている原稿を撮像した撮像データを示す図である。
【図８】データベースに記憶された比較画像データを示す図である。
【図９】実施形態に係る画像読取装置で画像を読み取る動作の他の例を示すフローチャートである。
【図１０】原稿が綴じられているときに表示パネルに表示する原稿綴じ警告画面である。
【図１１】複製が禁止された文書を含む原稿を示す図である。
【図１２】複製が禁止された文書を含む原稿があるときに表示パネルに表示する読取禁止警告画面である。
【発明を実施するための形態】
【００１１】
以下、図面を参照して、原稿読取装置を備えた画像形成装置として複合機１００を例に挙げ、本発明の実施形態を説明する。本実施の形態に記載されている構成、配置等の各要素は、発明の範囲を限定せず、単なる説明例にすぎない。
【００１２】
（複合機１００）
図１を用いて、実施形態に係る複合機１００を説明する。図１は、実施形態に係る複合機１００の一例を示す図である。
【００１３】
図１に示すように、複合機１００には制御部１（メイン制御基板）、印刷部２、記憶部３が設けられる。また、複合機１００は、画像読取部４、原稿搬送部５、操作パネル６、通信部７及び撮像部８を含む。なお、画像読取部４、原稿搬送部５及び撮像部８は画像読取装置を構成する。画像読取装置は、一例であり、この形態に限定されるものではない。
【００１４】
制御部１は、複合機１００の全体制御を司る。制御部１は、ＣＰＵ１１を含む。また、複合機１００には、ＲＯＭ、ＨＤＤやフラッシュＲＯＭのような不揮発性メモリーとＲＡＭのような揮発性のメモリーを含む記憶部３が設けられる。記憶部３は、制御に関するプログラムやデータを記憶する。制御部１は、記憶部３のプログラムやデータを利用して各部を制御する。制御部１は、コピーや送信のようなジョブのときに行われるスキャン、印刷、送信、画像データの記憶を制御する。また、制御部１には、画像読取部４から出力される画像データに基づき画像処理を行う画像処理部１２が設けられる。
【００１５】
操作パネル６は、表示パネル６１、タッチパネル６２、ハードキー６３を含む。タッチパネル６２は、ユーザーのタッチ位置を検知するためのものである。制御部１は、タッチパネル６２の出力に基づき、表示パネル６１に表示されたキーやボタンのような操作画像のうち、操作されたものを認識する。ハードキー６３は、ジョブの実行開始を指示するためのスタートキーや、数字を入力するためのテンキーを含む。制御部１は、操作パネル６の状態や各種メッセージや設定用画面を表示パネル６１に表示させる。また、操作パネル６は、スキャンやコピーのようなジョブに関し、タッチパネル６２、ハードキー６３に対する設定操作を受け付ける。制御部１は、操作パネル６と通信し設定内容を認識する。
【００１６】
印刷部２は、給紙部２ａ、搬送部２ｂ、画像形成部２ｃ、定着部２ｄを含む。給紙部２ａは、用紙を供給する。搬送部２ｂは、用紙を搬送し、印刷済み用紙を機外に排出する。画像形成部２ｃは、画像データに基づきトナー像を形成し、搬送される用紙にトナー像を転写する。定着部２ｄは、転写されたトナー像を用紙に定着させる。制御部１は印刷部２の動作を制御する。
【００１７】
通信部７は、ＰＣのようなコンピューター２００、サーバー３００及びＦＡＸ装置４００等と、有線及び（又は）無線ネットワーク、公衆回線等を介して通信可能に接続される。また、これら以外の機器であって、画像データのやり取りを行う機器が接続される場合もある。
【００１８】
（画像読取装置）
次に、図１〜図３を用いて、画像読取装置を説明する。図２、図３は、画像読取装置の一例を示す図である。なお、以下の説明において、上下、左右と説明する場合、図２を基準とする。
【００１９】
図２に示すように、画像読取装置は、画像読取部４と、原稿搬送部５と、撮像部８とを備える。図２に示すように、画像読取部４は箱形の筐体を有する。そして、画像読取部４の上面左側に、透明板状の送り読み取り用コンタクトガラス４１が設けられる。画像読取部４の上面かつ、送り読み取り用コンタクトガラス４１の右側に、透明板状の載置読取用コンタクトガラス４２が配される。載置読取用コンタクトガラス４２は、書籍のような原稿がセットされる。言い換えると、載置読取用コンタクトガラス４２は、１ページ分の原稿をセットするテーブルとして機能する。原稿搬送部５に原稿がセットされていないとき、画像読取部４は、載置読取用コンタクトガラス４２にセットされた原稿に光を照射し、反射に基づき原稿の表面を読み取って画像データを生成する（以下、載置読取用コンタクトガラス４２にセットされた原稿の読み取りを「テーブル読み取り」と称する。）。
【００２０】
つまり、制御部１は、原稿搬送部５に原稿がセットされているとき原稿搬送部５が搬送する原稿を読み取る（以下、「送り読み取り」と称する）を画像読取部４に行わせ、原稿搬送部５に原稿がセットされていないときテーブルにセットされた原稿を読み取るテーブル読み取りを画像読取部４に行わせて、画像読取部４に原稿の画像データを生成させる。
【００２１】
図３に示すように、画像読取部４には、画像読取部４の動作の制御を行う読取制御部４０が設けられる。読取制御部４０は、基板上にＣＰＵ、メモリー、集積回路等が実装された構成を含む。読取制御部４０は、制御部１からの指示、信号を受け、原稿の読み取りを行う。なお、読取制御部４０を設けず、制御部１が画像読取部４の制御、処理を行うようにしてもよい。
【００２２】
図２に示すように、画像読取部４は、筐体内に、読取ユニット４ａ、ワイヤー４３、巻取ドラム４４を含む。読取ユニット４ａはワイヤー４３で巻取ドラム４４に接続される。巻取ドラム４４は、正逆回転する巻取モーター４５（図３参照）により回転する。テーブル読み取りのとき、読取制御部４０は、巻取ドラム４４を回転させ、読取ユニット４ａを水平方向に移動させる。送り読み取りのとき、読取制御部４０は、送り読み取り用コンタクトガラス４１の下方に読取ユニット４ａを固定する。
【００２３】
図３に示すように、画像読取部４内には、読取ユニット４ａ、ＡＦＥ部４ｂ、画像データ処理部４ｃが設けられる。読取ユニット４ａは、ＣＩＳ方式で原稿を読み取るユニットである（ＣＣＤ式のものでもよい）。読取ユニット４ａは、ランプ４ｄ、レンズ４ｅ、イメージセンサー４ｆを含む。
【００２４】
ランプ４ｄは、ＬＥＤや冷陰極管のような光源であり、主走査方向に沿って光を原稿に照射する。読取制御部４０は、原稿読み取りのとき、ランプ４ｄを点灯させる。また、読取制御部４０は、原稿読み取りの終了にあわせ、ランプ４ｄを消灯させる。
【００２５】
イメージセンサー４ｆは、主走査方向に沿って受光素子が並べられたラインセンサーである。イメージセンサー４ｆは、複数色分のラインセンサーを含むカラー対応のものでもよいし、白黒読み取り用のラインセンサーのみを含むモノクロ式のものでもよい。レンズ４ｅは、原稿の反射光をイメージセンサー４ｆの各受光素子に導く。
【００２６】
イメージセンサー４ｆの各受光素子は、１ラインの読み取り期間（電荷蓄積期間）中、受光量が多いほど、大きな電圧を出力する。イメージセンサー４ｆ（読取ユニット４ａ）の各受光素子が出力するアナログ信号は、ＡＦＥ部４ｂ（Analog Front End）に入力される。ＡＦＥ部４ｂは、各受光素子のアナログ信号を処理し、各受光素子のアナログ信号をディジタル値に変換する回路である。ＡＦＥ部４ｂは、オフセット処理、増幅処理を行ってアナログ信号を調整し、Ａ／Ｄ変換を行う。ＡＦＥ部４ｂは、各受光素子の出力に基づくアナログ信号を８ビットや１０ビットのディジタル値に変換する。
【００２７】
画像データ処理部４ｃは、ＡＦＥ部４ｂで生成されたディジタル値を並べ、ページ単位の画像データを生成する。このとき、画像データ処理部４ｃは、シェーディング補正のような読み取りに起因する画像の濃度の歪みを補正する処理を行う。画像データ処理部４ｃにより生成された各ページの画像データは、記憶部３に送信される。コピーや送信のようなジョブを実行するとき、記憶部３に記憶された画像データが読み出される。画像処理部は、操作パネル６での設定に合わせた画像処理を読み出された画像データに対して行う。例えば、画像処理部は、送信ジョブのとき、ＰＤＦやｊｐｅｇのような設定されたファイル形式への変換処理を行う。
【００２８】
図２に示すように、原稿搬送部５は、画像読取部４の上方に設けられる。原稿搬送部５は、画像読取部４に対し上下方向に開閉し、セットされている原稿Ｄｃを送り読み取り用コンタクトガラス４１（読取位置）に向けて搬送する。また、原稿搬送部５は原稿を上方から押さえるカバーとして機能する。原稿搬送部５は、原稿搬送方向上流側から順に、原稿トレイ５１、給紙ユニット５２、原稿搬送路５３、複数の搬送ローラー対５４、排出ローラー対５５及び排出トレイ５６を含む。
【００２９】
図３に示すように、原稿搬送部５は、原稿搬送部５の動作の制御を行う原稿搬送制御部５０を含む。原稿搬送制御部５０は、基板上にＣＰＵ、制御用のプログラム、データ等を記憶するメモリー等が実装された構成を含む。原稿搬送制御部５０は、制御部１や読取制御部４０と通信可能に接続される。原稿搬送制御部５０は、制御部１や読取制御部４０からの原稿搬送開始の指示を受け、原稿搬送部５での原稿搬送の動作制御を行う。また、原稿搬送部５には、原稿搬送制御部５０に制御される、給紙モーター５７と、搬送モーター５８とを備えている。
【００３０】
原稿トレイ５１は、複数枚の原稿Ｄｃを積層してセット可能な形状を有している。原稿トレイ５１にセットされている原稿Ｄｃは、給紙ユニット５２によって、上から順に１枚ずつ原稿搬送部５３に給送される。ここで、給紙ユニット５２について説明する。給紙ユニット５２は、給紙ローラー５２ａ、ピックアップローラー５２ｂ及び給紙モーター５７を含む。
【００３１】
給紙ローラー５２ａは、給紙モーター５７によって回転される。給紙ローラー５２ａは原稿Ｄｃと接触した状態で回転されることで、原稿Ｄｃを原稿搬送路５３に送り出す（給送する）。そのため、給紙ローラー５２ａの少なくとも外周面は、原稿Ｄｃとの間に原稿Ｄｃを給送するための摩擦力を発生できる材料及び（又は）形状を有している。
【００３２】
給紙ローラー５２ａとピックアップローラー５２ｂとは、給紙モーター５７によって回転される。ピックアップローラー５２ｂは、原稿トレイ５１にセットされている複数枚の原稿Ｄｃの内最上に位置する原稿と接触する。
【００３３】
一方、給紙モーター５７からの駆動力で給紙ローラー５２ａが回転すると、ピックアップローラー５２ｂも回転する。原稿トレイ５１に原稿Ｄｃがセットされている場合、回転しているピックアップローラー５２ｂが原稿Ｄｃを繰り出して、給紙ローラー５２ａに送る。そして、給紙ローラー５２ａは、原稿Ｄｃを原稿搬送路５３まで搬送させる。
【００３４】
図２に示すように、原稿搬送路５３は、原稿Ｄｃが移動する方向に沿って延びる。原稿Ｄｃは、原稿搬送路５３に沿って搬送されて、送り読み用コンタクトガラス４１に搬送される。また、送り読み取りが完了した原稿Ｄｃは、原稿搬送方向において、送り読み用コンタクトガラス４１の下流側に配された原稿搬送路５３に沿って搬送される。
【００３５】
原稿搬送路５３には、原稿Ｄｃの搬送方向の上流側から、複数個（ここでは４個）の搬送ローラー対５４が配される。なお、複合機１００の原稿搬送部５では、４個の搬送ローラー対を備えているが、これに限定されない。例えば、原稿搬送部５３の長さ及び搬送する原稿Ｄｃの長さに応じて、原稿Ｄｃを正確に搬送可能な搬送ローラー対の数を採用することができる。
【００３６】
搬送ローラー対５４は、２個のローラーを互いに接触させている。そして、２個のローラーの接触部分（ニップ部）で原稿Ｄｃを挟み、ローラーを回転させることで、原稿Ｄｃを搬送する。複数個の搬送ローラー対５４は、それぞれ、搬送モーター５８によって回転されている。なお、各搬送ローラー対５４は、同期して回転する。ここで、同期して回転するとは、回転数が同じであることを含む。また、一部回転数が異なる場合でも、回転の開始／停止のタイミング、回転数が変動するタイミング、変動の比率が同じであることを含む。
【００３７】
また、原稿搬送部５は、排出ローラー対５５を備えている。排出ローラー対５５は、原稿搬送方向において最も下流に配された搬送路ローラー対５４の原稿搬送方向において下流側に配されている。排出ローラー対５５も、搬送モーター５８によって回転されている。排出ローラー対５５によって、送られた原稿Ｄｃは、原稿排出トレイ５６に排出される。排出ローラー対５５は、搬送ローラー対５４と同期して回転する。そのため、排出ローラー対５５は、搬送モーター５８から駆動力が直接伝達されず、搬送ローラー対５４の回転軸から駆動力が伝達される構成であってもよい。
【００３８】
図３に示すように給紙モーター５７及び搬送モーター５８は、原稿搬送制御部５０に接続され、原稿搬送制御部５０によって制御される。原稿搬送部５は、原稿セットセンサーＳ１のようなセンサーを含む。原稿セットセンサーＳ１は、原稿トレイ２１に設けられる。原稿セットセンサーＳ１は、透過型光センサーや反射型光センサーのようなトレイにセットされている原稿Ｄｃの有無に応じて出力が変化するセンサーである。搬送制御部２０は、原稿セットセンサーＳ１の出力に基づき原稿トレイ２１にセットされている原稿Ｄｃがあるか否かを認識する。
【００３９】
図３に示すように、撮像部８は、制御部１からの指示、信号を受け、原稿トレイ５１にセットされている原稿Ｄｃの表面を撮像する。撮像部８は、いわゆる、デジタルカメラであり、図３に示すように、撮像素子８１と、撮像データ生成部８２とを備える。また、撮像部８は、レンズ、絞り等の撮像素子８１に光を導く光学ユニット（不図示）を備える。光学ユニットを用いることで、撮像部８は、原稿トレイ５１に近接して配置されていても、原稿トレイ５１にセットされている１枚の原稿Ｄｃを１枚の撮像データとして生成することができる。なお、１枚の原稿Ｄｃを複数の部分に分割して、撮像データを生成するようにしてもよい。
【００４０】
撮像素子８１は、イメージセンサー４ｆと同様に、受光量によって、出力電圧が変化する受光素子を備えている。撮像素子８１は、イメージセンサー４ｆとは異なり、受光素子を平面に２次元配列している。すなわち、撮像素子８１は、１回の露光で平面状の露光データを取得することができる。光学ユニットを通過した撮像光は、撮像素子８１に結像する。これにより、撮像素子８１に設けられた受光素子は、受光量に応じた電圧信号を、撮像データ生成部８２に出力する。
【００４１】
撮像部８は、撮像データ生成部８２で生成した撮像データを、制御部１に送信する。詳細は後述するが、撮像部８で撮像された撮像データは、原稿トレイ５１にセットされている原稿Ｄｃの表面に描画オブジェクトの情報があるかないかを判断するためのデータである。なお、描画オブジェクトとは、原稿Ｄｃの表面に表示された、文字、画像等であって、画像読取部４で読み取りを行う対象を広く指す。
【００４２】
コピーや送信のような原稿を読み取るジョブの実行指示が操作パネル６になされたとき（スタートキーが操作されたとき）、制御部１は、原稿Ｄｃの読み取り指示を原稿搬送制御部５０に送信する。原稿搬送制御部５０は、原稿セットセンサーＳ１の出力を確認し、原稿トレイ５１に原稿Ｄｃが存在する否かを検知する。原稿トレイ５１に原稿Ｄｃがあるとき、原稿搬送制御部５０は給紙モーター５７及び搬送モーター５８を駆動させ、給紙ローラー５２ａ、ピックアップローラー５２ｂ、搬送ローラー対５４及び排出ローラー対５５を回転させる。
【００４３】
給紙ローラー５２ａの回転によって、ピックアップローラー５２ｂは原稿トレイ５１の原稿Ｄｃを繰り出す。そして、給紙ローラー５２ａは、ピックアップローラー５２ｂが繰り出した原稿Ｄｃを、原稿搬送路５３に給送する。原稿搬送路５３に給送された原稿Ｄｃは、停止することなく、搬送ローラー対５４と接触し、原稿搬送路５３に沿って搬送される。
【００４４】
原稿Ｄｃは、画像読取部４の上面に設けられた送り読み取り用コンタクトガラス４１の上側を通過する。原稿Ｄｃが送り読み取り用コンタクトガラス４１の上側を通過するとき、搬送されている原稿Ｄｃの表面を読み取る。
【００４５】
送り読み取り用コンタクトガラス４１の上方を通過した原稿Ｄｃは、排出ローラー対５５によって原稿排出トレイ５６に排出される。なお、排出ローラー対５５は、原稿排出トレイ５６よりも上方に配置されており、排出ローラー対５５で排出された原稿は、原稿排出トレイ５６に積層される。
【００４６】
原稿搬送部５において、送り読み取り用コンタクトガラス４１に送られる原稿が長方形である場合、その一辺が主走査方向と平行であることが好ましい。しかしながら、原稿は、給紙ユニット５２から給送された段階で、或いは、原稿搬送路５３内を搬送される過程で、傾いてしまう場合がある。原稿搬送部５において原稿Ｄｃは、ピックアップローラー５２ｂに繰り出されてから、原稿排出トレイ５６に排出されるまで停止されない。そこで、画像データ処理部４ｃが、画像読取部４からの画像データを確認し、画像データに傾きがある場合には、画像データの傾きを補正するスキュー補正処理を行う。なお、スキュー補正処理は、制御部１の画像処理部１２で行うようにしてもよい。
【００４７】
（原稿読取動作）
次に、実施形態にかかる複合機１００における原稿読取動作の詳細について説明する。通常、原稿読取部４及び原稿搬送部５を用いて、送り読み取りを行う場合、原稿Ｄｃを原稿トレイ５１にセットし、実行指示が操作パネル６になされることで開始される。そして、原稿トレイ５１にセットされている原稿Ｄｃを、ピックアップローラー５２ｂで繰り出し、給紙ローラー５２ａで原稿搬送路５３に給送する。そして、原稿Ｄｃは、原稿搬送路５３に配置された複数の搬送ローラー対５４で送り読み取り用コンタクトガラス４１の上方に搬送され、読取ユニット４ａで原稿Ｄｃ上の描画オブジェクトが読み取られる。そして、描画オブジェクトが読み取られた原稿Ｄｃは、原稿排出トレイ５６に排出される。
【００４８】
（第１実施例）
原稿トレイ５１に複数枚の原稿Ｄｃをセットする場合、表面に描画オブジェクトが存在しない原稿（以下、「白紙原稿」と称する）が混在する場合がある。白紙原稿は、読取を行う対象（描画オブジェクト）が無いので、原稿搬送部５による搬送や画像読取部４による画像の読み取りに要する時間及び電力が無駄になる場合が多い。そのため、複合機１００では、撮像部８を利用して、白紙原稿が搬送される前に、ユーザーに白紙原稿であることを通知する機能を有する。
【００４９】
以下に、複合機１００における、原稿Ｄｃの読み取りの動作について、図４、図５、図６を参照して説明する。図４は、複合機１００において原稿搬送部５で原稿Ｄｃの読み取りを行う動作を示すフローチャートである。図５は、原稿が配置されていないときに表示パネル６１に表示する原稿なし画面である。図６は、白紙原稿があるときに表示パネル６１に表示する白紙原稿注意画面である。なお、本実施例では、原稿トレイｒ５１にセットされている複数の原稿に、白紙原稿が含まれる場合について説明する。すなわち、本実施例では、白紙原稿が、原稿読取に適していない原稿である。
【００５０】
複合機１００では、操作パネル６に設けられたスタートボタン（不図示）が操作される（押される）ことで、原稿の読み取りが開始される（ステップＳ１０１）。スタートボタンが操作された（ステップＳ１０１の）後、制御部１は、原稿トレイ５１に原稿がセットされているか否か確認する（ステップＳ１０２）。なお、原稿トレイ５１に原稿がセットされているか否かについては、原稿セットセンサーＳ１からの信号に基づいて、原稿搬送制御部５０で判断し、その結果を制御部１に送っている。すなわち、制御部１は、原稿搬送制御部５０に対して、原稿トレイ５１に原稿がセットされているか否かの確認を指示して、その結果を受信して、原稿トレイ５１に原稿がセットされているか否かを判断する。
【００５１】
原稿トレイ５１に原稿が無い場合（ステップＳ１０２でＮｏの場合）、制御部１は、表示パネル６１に、図５に示すような原稿なし画面９１を表示し（ステップＳ１０３）、スタートボタンの操作受付の確認に戻る（ステップＳ１０１に戻る）。
【００５２】
ここで、原稿なし画面９１について説明する。図５に示すように、原稿なし画面９１には、状態メッセージ９１１と、詳細メッセージ９１２と、ＯＫキーＫ１とが含まれる。状態メッセージ９１１は、現在の状態を示すメッセージである。原稿なし画面９１では、「原稿がありません」の文字列を表示する。これにより、ユーザーに対して、原稿読み取りが停止している状態を明確に伝えることが可能である。また、詳細メッセージ９１２は、状態メッセージよりもさらに詳細な情報やその後ユーザーの操作を促す内容の文字列である。原稿なし画面９１では、「原稿トレイに原稿をセットしてください」の文字列を表示する。これにより、ユーザーは、原稿の読み取りを行うために、何をすべきか容易に理解することが可能である。
【００５３】
操作パネル６において、表示パネル６１は、タッチパネル６２を兼ねている。すなわち、表示パネル６１に表示されたキーにタッチすることで、タッチパネル６２の操作が可能となっている。そこで、原稿なし画面９１には、ＯＫキーＫ１が表示される。ＯＫキーＫ１が表示されている部分をユーザーの指等が接触することで、ＯＫの入力が実行される。原稿なし画面９１は、スタートボタンが押されたときに、原稿トレイ５１に原稿がセットされていないときに表示するものとしているが、それに限定されない。例えば、原稿トレイ５１に原稿がセットされていないとき、常に原稿なし画面９１が表示されるようにしてもよい。
【００５４】
図４に戻り、原稿の読み取りの動作の説明を続ける。原稿トレイ５１に原稿がセットされている場合（ステップＳ１０２でＹｅｓの場合）、制御部１は、撮像部８を用いて原稿トレイ５１にセットされている原稿のうち最も上の原稿Ｄｃを撮像する（ステップＳ１０４）。そして、撮像部８に備えられた撮像データ生成部８２で撮像データが生成され、制御部１は撮像部８から撮像データを取得する（ステップＳ１０５）。
【００５５】
制御部１は、撮像データに対して画像処理を行い、撮像データに文字、画像等の描画オブジェクトが含まれているか否か確認する（ステップＳ１０６）。撮像データに文字、画像等の描画オブジェクトが含まれているか否かの確認について説明する。撮像データは、画素ごとの輝度の情報を有している。例えば、撮像データに描画オブジェクトが含まれていない場合、すなわち、白紙の画像データの場合、全ての画素の輝度が同一又はほぼ同一である。一方、描画オブジェクトが含まれている場合、描画オブジェクトの部分は、白紙の部分に比べて輝度が低くなる。このような、画素の輝度の変化を確認して撮像データに描画オブジェクトが含まれているか否か確認する。例えば、記憶部３に白紙のときの画素の輝度値（基準値とする）を予め記憶しておき、ある画素の輝度値と基準値との差分値を計算し、差分値が閾値を超えたときに、描画オブジェクトを含むと判断できる。なお、この処理は、確認方法の一つであり、これ以外の方法を用いて、判断を行ってもよい。
【００５６】
画像データに描画オブジェクトがないと判断した場合（ステップＳ１０６でＮｏの場合）、制御部１は、図６に示すような、表示パネル６１に白紙原稿注意画面９２を表示する（ステップＳ１０７）。
【００５７】
ここで、図６に示す、白紙原稿注意画面９２について説明する。白紙原稿注意画面９２には、状態メッセージ９２１と、詳細メッセージ９２２と、ＯＫキーＫ１と、キャンセルキーＫ２とが含まれる。詳細な文字列は異なるが、状況メッセージ９２１は状況メッセージ９１１と、詳細メッセージ９２２は詳細メッセージ９１２と同様の内容を表示する。すなわち、状態メッセージ９２１は、現在の状態を示し、白紙原稿注意画面９２では、「注意  原稿が白紙です」の文字列を表示する。これにより、原稿トレイ５１にセットされている複数の原稿のうち最も上の原稿Ｄｃが白紙であることをユーザーに知らせることができる。
【００５８】
また、詳細メッセージ９２２は、状態メッセージよりもさらに詳細な情報やその後ユーザーの操作を示す。白紙原稿注意画面９２では、「原稿トレイの原稿を確認してください」の文字列を表示する。さらに、「白紙の原稿を取り除き、ＯＫキーを押したのち、再度、スタートボタンを押してください」、「白紙の原稿ではない場合又は白紙の原稿でもよい場合は、キャンセルキーを押してください」とのユーザーがとり得る作業を示す文字列を表示する。このように表示することで、ユーザーは、現在の状態及び次に行う作業を容易に認識できる。また、ＯＫキーＫ１及びキャンセルキーＫ２は、タッチパネル６２を用いた操作キーである。それぞれ、詳細メッセージ９２２で示す動作が割り当てられており、ユーザーが触れることで、動作が実行される。
【００５９】
なお、以下の説明において、「注意」及び「警告」と称する場合があるが、大まかに、「注意」は、原稿Ｄｃが白紙等で画像読取部４による読み取りには適していないが、原稿の破損、画像読取部４や原稿搬送部５の故障又は破損を発生させにくいものであるときに表示される。また、「警告」は、原稿Ｄｃが綴じられていたり、複製禁止であったり等、画像読取部４による読み取りに適しておらず、原稿の破損、画像読取部４や原稿搬送部５の故障又は破損を発生させたり、読み取りを行うことが禁止されている場合等に表示される。すなわち、「注意」は、ユーザーに対してセットされている原稿が「警告」を行う場合よりも軽度の不都合があるときに通知し、「警告」は、ユーザーに重度の被害が及ぶ可能性があることを通知するものである。そのため、「注意」はユーザーに対する認知が目的であり、通知後に読み取りが可能である。一方、「警告」は、ユーザーに読み取りの再考を促しており、セットされている状態での原稿の読み取りは行わない。また、「注意」、「警告」以外の通知を行ってもよい。
【００６０】
図４に戻り、原稿の読み取りの動作の説明を続ける。そして、制御部１は、白紙注意原稿画面９２を表示した後に、ユーザーによる操作パネル６の操作を確認する。すなわち、ユーザーによって原稿の読み取りを継続するか否かのいずれが選択されたかを確認する（ステップＳ１０８）。ユーザーによって、ＯＫキーＫ１が押されたとき、制御部１はユーザーによって原稿の読み取りの中止が選択されたと判断し（ステップＳ１０８でＮｏ）、制御部１は、スタートボタンの操作受付の確認（ステップＳ１０１）に戻る。
【００６１】
例えば、撮像データから描画オブジェクトを確認できなかったが、実際の原稿Ｄｃには、描画オブジェクトが表示されている場合がある。また、連続した文書の読込において、白紙のページを挟みたい場合がある。このような場合には、ユーザーによって原稿の読み取りの再開が要求される。また、白紙でない原稿Ｄｃがセットされている場合にも原稿の読み取りが行われる。
【００６２】
つまり、ステップＳ１０８において、ユーザーがキャンセルキーＫ２を押すか（ユーザーによって原稿の読み取りの継続が選択された）又は撮像データに描画オブジェクトが含まれていた場合（ステップＳ１０６でＹｅｓの場合）、制御部１は、原稿搬送部５に対して原稿搬送の開始の指示を送る。原稿搬送制御部５０は、原稿搬送の開始の指示に従って原稿搬送を開始する（ステップＳ１０９）。そして、読取制御部４０は、送り読み取り用コンタクトガラス４１の上方を通過する原稿Ｄｃの描画オブジェクトを読み取る（ステップＳ１１０）。そして、原稿読取部４は、原稿Ｄｃの読取画像データを生成し、記憶部３に蓄積する（ステップＳ１１１）。
【００６３】
そして、制御部１は、読取画像データを記憶部３に記憶した後に、原稿トレイ５１における原稿Ｄｃの有無の確認（ステップＳ１０２に戻る）。このようにして、原稿トレイ５１に積層してセットされている複数枚の原稿Ｄｃを１枚ずつ、白紙であるか否か確認した後に、読み取り（搬送）を行うことができる。また、原稿トレイ５１にセットされた複数の原稿Ｄｃがすべて読み取られて、原稿トレイ５１に原稿Ｄｃが無くなると、制御部１は、スタートボタンの操作受付の確認を継続する。しかしながら、これに限定されず、制御部１は、一定期間、スタートボタンが操作されない場合には、システムを省電力モード（或いは、給紙モード）にする制御を行ってもよい。
【００６４】
画像読取装置をこのような構成とすることで、白紙の原稿が画像読取部４（の送り読み取り用コンタクトガラス４１の上方の読取位置）に搬送されたり、白紙の原稿の読み取りを行ったり等の無駄な動作を省くことが可能である。
【００６５】
そして、制御部１は、記憶部３に記憶された読取画像データに基づいて、プリント、メール送信等のジョブを実行することが可能である。
【００６６】
（第２実施例）
実施形態にかかる画像読取装置の他の動作について説明する。第１実施例では、撮像データに画像処理を施すことで、原稿トレイ５１にセットされている原稿Ｄｃの描画オブジェクトの有無を判断している。これ以外にも、描画オブジェクトが含まれた比較画像データを蓄積したデータベースを記憶部３に備えておき、撮像データと比較画像データとを比較することで、原稿Ｄｃが読取に適しているが否か判断してもよい。
【００６７】
本実施例において、制御部１は、記憶部３に設けられたデータベースから比較用の比較画像データを呼び出し、撮像データと比較して原稿Ｄｃの判定を行う。ここで、撮像データと比較画像データついて図面を参照して説明する。図７は、原稿トレイ５１にセットされている原稿Ｄｃを撮像した撮像データＰＤｃを示す。図８は、データベースに記憶された比較画像データＱｄを示す。
【００６８】
図７に示すように、撮像データＰＤｃには、原稿Ｄｃを綴じる綴じ部材であるステイプル針の画像Ｐｓｔと、文字の描画オブジェクトＰｃｈと、画像の描画オブジェクトＰｏが含まれている。一方、図８に示すように、比較画像データＱｄには、ステイプル針の画像Ｑｓｔと、文字の描画オブジェクトＱｃｈと、画像の描画オブジェクトＱｐｏとが含まれる。そして、制御部１は、撮像データＰＤｃと、比較画像データＱｄとを比較する。
【００６９】
これにより、制御部１は、撮像データＰＤｃには、文字の画像オブジェクトＰｃｈ及び画像の描画オブジェクトＰｏが含まれていると判断するとともに、ステイプル針の画像Ｐｓｔが含まれていると判断する。なお、ここでは、比較画像データＱｄとして、１つデータにステイプル針、文字、画像を含んでいるが、それぞれ、１つを含む比較画像データを用意しておき、ステイプル針の画像、文字の描画オブジェクト、画像の描画オブジェクトをそれぞれ検出するようにしてもよい。なお、画像の比較については、既知の画像検出方法を採用している。また、本実施例では、綴じ部材としてステイプル針を挙げているが、これに限定されない。画像処理によって、綴じ部材の有無を確認するためクリップ、リング等で綴じられている場合でも確認することが可能である。
【００７０】
以上のように、画像データを比較することで、原稿Ｄｃにおける描画オブジェクトの有無以外にも、原稿Ｄｃを綴じる綴じ部材（ここでは、ステイプル針）を確認する、すなわち、原稿Ｄｃが綴じられていることを確認することが可能となる。このような、本実施例では、画像を比較した結果を用いて、原稿トレイ５１にセットされている原稿Ｄｃが画像読取装置による読み取りに適しているか否か判断している。
【００７１】
図９は、実施形態に係る画像読取装置の読み取る動作の他の例をフローチャートである。なお、図９に示すフローチャートでは、図４に示すフローチャートのステップＳ１０５とステップＳ１０６の間に、原稿Ｄｃが綴じられているか否かの確認及び綴じられている時の処理のステップが追加されている。図９に示すフローチャートにおいて図４に示すフローチャートと実質上同じステップについての詳細な説明は省略する。
【００７２】
図９に示すように、制御部１は、ステップＳ１０１〜ステップＳ１０５の動作を経て、原稿トレイ５１にセットされている原稿Ｄｃの撮像データＰＤｃを取得している。そして、制御部１は、記憶部３に設けられたデータベースから比較画像データＱｄを呼び出す（ステップＳ２０１）。制御部１は、撮像データＰＤｃと比較画像データＱｄとを比較する（ステップＳ２０２）。
【００７３】
そして、制御部１は、撮像データＰＤｃと比較画像データＱｄとを比較し、撮像データＰＤｃにステイプル針の画像Ｐｓｔが含まれるか否か確認し、原稿Ｄｃが読取に適しているか、すなわち、綴じられているか確認する（ステップＳ２０３）。原稿Ｄｃが綴じられている場合（ステップＳ２０３でＮｏの場合）、制御部１は、図１０に示すような、表示パネル６１に綴じ原稿警告画面９３を表示する（ステップＳ２０４）。
【００７４】
ここで、図１０に示す、綴じ原稿警告画面９３について説明する。綴じ原稿警告画面９３には、状態メッセージ９３１と、詳細メッセージ９３２と、ＯＫキーＫ１とが含まれる。詳細な文字列は異なるが、状況メッセージ９３１は状況メッセージ９１１と、詳細メッセージ９３２は詳細メッセージ９１２と同様の内容を表示する。すなわち、状態メッセージ９３１は、現在の状態を示し、綴じ原稿警告画面では、「警告  原稿が綴じられています」の文字列を表示する。これにより、制御部１は、ユーザーに原稿Ｄｃがステイプル針等で綴じられていることを知らせる。
【００７５】
また、詳細メッセージ９３２は、状態メッセージよりもさらに詳細な情報やその後ユーザーの操作を示す。綴じ原稿警告画面９３では、「原稿トレイの原稿を確認してください」の文字列を表示する。さらに、「綴じられた原稿を取り除いた後、読取可能な原稿をセットしてください」とのユーザーがとり得る作業を示す文字列を表示する。このように表示することで、ユーザーは、現在の状態及び次に行う作業を容易に認識できる。これにより、ユーザーは、原稿の読み取りを行うために、何をすべきか容易に理解することが可能である。
【００７６】
図９に戻り、原稿Ｄｃの読み取りの動作の説明を続ける。原稿トレイ５１にセットされている原稿Ｄｃが綴じられている場合、綴じられた原稿Ｄｃを原稿搬送部５で搬送してしまうと、原稿Ｄｃの詰まりや破損、原稿読取部４及び原稿搬送部５の故障や破損の原因となる。そこで、制御部１は、原稿の読み取りを中止して、スタートボタンの操作受付の確認（ステップＳ１０１）に戻る。なお、綴じられた原稿Ｄｃが取り除かれずにスタートボタンが押された場合には、ステップＳ２０３、Ｓ２０４の流れが繰り返されて、原稿の搬送が行われない。
【００７７】
また、綴じられた原稿でないことが確認された場合（ステップＳ２０３でＹｅｓの場合）、制御部１は、セットされている原稿Ｄｃが白紙原稿か否か確認する（ステップＳ１０６）。なお、ステップＳ１０６以降は、図４に示す動作と同じであるため詳細は省略する。
【００７８】
以上のように、実施形態に示す画像読取装置では、綴じられた原稿を読み取りに適さない原稿として検出し、その後、綴じられた原稿がセットされている間は、読み取りを行わない。このようにすることで、原稿の詰まりや破損、原稿読取部４及び原稿搬送部５の故障や破損を抑制することができる。なお、本実施例において、撮像データに含まれる綴じ部材（ステイプル針）の有無を画像処理（比較画像データとの比較）で判断している。そのため、本実施例では、撮像データとして、比較が同データと比較して、描画オブジェクトを確認できる程度に精細な画像であることが好ましい。
【００７９】
（第３実施例）
例えば、一般的に機密書類等では、画像読取を含む複製が禁止されていることがほとんどである。図１１は、複製が禁止された文書を含む原稿を示す図である。図１１に示すような機密事項を含む原稿Ｓｃ等では、原稿Ｓｃの視認しやすい位置に、複製を禁止する或いは書類の秘密保持を要することを示すアイコン（ここでは、「複製禁止」の文字アイコン）Ｉｃが設けられている。制御部１は、撮像データにアイコンＩｃの画像が含まれているときには、読み取りを中断する。そのため、本実施例に示す複合機１では、記憶部３のデータベースに複製を禁止するアイコンの画像データが蓄積されている。なお、図１１に示す原稿Ｓｃでは、「複製禁止」の文字を示すアイコンを用いているが、これに限定されるものではなく、図柄で禁止や注意を示すアイコンを用いてもよい。
【００８０】
本実施例における読取動作について図面を参照して説明する。なお、読取動作は、ステップＳ２０１〜Ｓ２０４の詳細が異なる以外、図９に示すフローチャートと同じであるため、図９に示すフローチャートを参照して説明する。
【００８１】
図９に示すステップＳ１０５で撮像データを取得した後、ステップＳ２０１にて、制御部１は、記憶部３から複製を禁止するアイコンの画像データを比較画像データとして取得する。そして、ステップＳ２０２にて、制御部１は、画像データに含まれる描画オブジェクトと比較画像データとを比較する。そして、ステップＳ２０３にて、制御部１は、画像データの描画オブジェクトに複製を禁止するアイコンの画像と一致する又はほぼ一致する画像が含まれるか否か確認する。画像データの描画オブジェクトに複製を禁止するアイコンの画像と一致する又は略一致する画像が含まれる場合（ステップＳ２０３でＹｅｓの場合）、ステップＳ２０４で、制御部１は、図１２に示す読込禁止警告画面９４を表示パネル６１に表示する。
【００８２】
ここで、図１２に示す、読取禁止警告画面９４について説明する。読取禁止警告画面９４には、状態メッセージ９４１と、詳細メッセージ９４２と、ＯＫキーＫ１とが含まれる。詳細な文字列は異なるが、状況メッセージ９４１は状況メッセージ９１１と、詳細メッセージ９４２は詳細メッセージ９１２と同様の内容を表示する。すなわち、状態メッセージ９４１は、現在の状態を示し、読取禁止警告画面９４では、「警告  複製禁止です」の文字列を表示する。これにより、制御部１は、ユーザーに原稿Ｓｃが複製禁止の原稿であることを知らせる。
【００８３】
また、詳細メッセージ９４２は、状態メッセージよりもさらに詳細な情報やその後ユーザーの操作を示す。読取禁止警告画面９４では、「原稿トレイの原稿を確認してください」の文字列を表示する。さらに、「複製禁止原稿の読み取りを実行しようとしています」との文字列を表示する。このように表示することで、ユーザーは、現在の状態及びその理由を容易に認識できる。これにより、ユーザーは、原稿Ｓｃの読み取りを行うために、何をすべきか容易に理解することが可能である。
【００８４】
なお、その後の動作については、第２実施例と同じである。このように、撮像データと比較画像データを比較する構成とすることで、複製が禁止されている原稿Ｓｃの複製を防ぐことができ、複合機１を介して機密事項が外部に漏れるのを抑制することが可能である。なお、本実施例では、精細な撮像データを生成してしまうと、撮像データ自体が、機密事項を含むデータになる恐れがある。そのため、撮像データは、撮像データに含まれるアイコンＩｃの画像を判別可能且つ文書の中身が確認できない程度の精細さとする。
【００８５】
なお、複製が禁止されてはいないが、複製には注意を要する原稿もあり得る。その場合、禁止とは異なるアイコンが用いられる。そのため、制御部１は、撮像データに含まれるアイコンの画像から、原稿の読み取りが禁止なのか、読み取りに注意を要するのか確認する。制御部１は、読み取りが禁止されている場合には、読み取りを行わない。また、制御部１は、読み取りに注意を要する場合には、表示パネル６１に読み取りに注意が必要である旨の画面（例えば、「注意  複製には気を付けてください」とうのメッセージ）を表示して、ユーザーに注意を喚起した後に、ユーザーの操作によって、読み取りを行う又は読み取りを中止するようにしてもよい。
【００８６】
綴じ部材の画像をアイコンの画像として記憶しておき、同様の方法で、画像データに含まれる綴じ部材の画像を確認するようにしてもよい。
【００８７】
また、本実施例にかかる画像読取装置を用いるときに、或る画像又は文字列を比較画像データとして撮像データと比較し、所定の文字列を含む原稿のみ読み取る又は読み取らないようにすることも可能である。
【００８８】
上述の各実施例では、制御部１による、画像読取部４での読み取りに適した原稿であるか否かの判断結果の通知を行う通知部として、表示パネル６１を用いているが、これに限定されない。例えば、スピーカー等の音声を出力可能な機器で、通知を行うようにしてもよい。なお、表示パネル６１とスピーカーとの両方で行うようにしてもよい。また、表示パネル６１とは別途設けられたランプ等の点灯又は点滅等で通知を行うようにしてもよい。また、撮像部８は、原稿トレイ５１の上方に設けられ、原稿トレイ５１に載置された原稿の上面を撮影しているがこれに限定されない。例えば、原稿トレイ５１の底面を透光性を有する材料で形成し、撮像部８が原稿トレイ５１にセットされている原稿の下面を撮像するようにしてもよい。
【００８９】
本発明にかかる画像読取装置の一例は、原稿をセットする原稿トレイ５１と、読取位置にある原稿Ｄｃの画像を読み取るとともに画像データを生成する画像読取部４と、原稿トレイ５１にセットされている原稿Ｄｃを読取位置に搬送する原稿搬送部５と、原稿トレイ５１にセットされている原稿Ｄｃを撮像して撮像データを生成する撮像部８と、各種情報を通知する通知部６１と、制御部１と、を備え、制御部１は、撮像データに基づいて原稿トレイ５１にセットされている原稿Ｄｃが画像読取部４による読み取りに適した原稿か否か判断して、判断結果を通知部６１を介して通知することを特徴とする。
【００９０】
このように構成することで、画像読取部での読取に適していない原稿が、原稿搬送部で搬送されてしまうのを抑制することが可能である。これにより、無駄な原稿搬送を削減して、無駄な時間又は電力の消費を抑制することが可能である。また、綴じられている原稿等についても搬送前に確認できるので、原稿自体の破損や画像読取装置の破損等を抑制することができる。さらに、複製が禁止されている、情報の共有が制限されている原稿の複製がとられるのを抑制することができ、機密情報が外部に漏れるのを抑制することが可能である。
【００９１】
上記構成において、制御部１が、原稿トレイ５１にセットされている原稿Ｄｃが画像読取部４による読み取りに適していないと判断したときに、制御部１は、原稿搬送部５による原稿の搬送を停止するとともに、通知部６１を利用して原稿トレイ５１にセットされている原稿Ｄｃが画像読取部４１による読み取りに適していないことの通知を行ってもよい。
【００９２】
原稿が読取に適していないときにだけ通知を行うため、読み取りが可能な原稿を用いているときには、従来の画像読取装置と同じ操作感で使用が可能である。これにより、ユーザーが違和感を覚えにくい。
【００９３】
上記構成において、原稿トレイ５１には、画像が形成された面を上方に向けた複数の原稿が積層されてセットされ、原稿搬送部５は、原稿トレイ５１にセットされている複数の原稿Ｄｃのうち最も上の原稿から順に１枚ずつ搬送し、撮像部８は、原稿トレイ５１にセットされている複数枚の原稿Ｄｃのうち、最も上の原稿を撮像するようにしてもよい。
【００９４】
このようにすることで、撮像部８の取り付けが簡単であるとともに、原稿トレイ５１にセットされている原稿が読み取りに適していないと判断されたとき、読み取りに適していない原稿が最も上にあるため、ユーザーによる原稿の確認が容易である。
【００９５】
上記構成において、撮像部８が、原稿の全体を１画像とする撮像データを生成可能であってもよい。
【００９６】
上記構成において、制御部１が、撮像データに描画オブジェクトが含まれているか否か判断し、描画オブジェクトが含まれていない場合に画像読取部４による読み取りに適していない原稿であると判断してもよい。
【００９７】
このようにすることで、白紙の原稿が原稿搬送部５で搬送され、画像読取部４で読み取られるのを抑制することが可能である。これにより、白紙の原稿の読み取りに用いられる無駄な時間及び電力を省くことができる。
【００９８】
上記構成において、制御部１は、撮像データから原稿Ｄｃが綴じられているか否か判断し、綴じられていると判断したときに画像読取部４による読み取りに適していない原稿であると判断してもよい。
【００９９】
このようにすることで、原稿が詰まったり、破損したりするのを抑制することが可能である。また、綴じられている原稿が送られることによる、画像読取部４及び原稿搬送部５の故障や破損を抑制することが可能である。
【０１００】
上記構成において、描画オブジェクトを含む比較画像データが記憶されたデータベースをさらに備えており、制御部１は、データベースに記憶された比較画像データと、撮像データとを比較して読取に適した原稿か否か判断してもよい。
【０１０１】
このようにすることで、原稿の判断の精度を高めることが可能である。また、原稿の一部に含まれる描画オブジェクトを検出することが可能であるため、白紙や綴じられている以外、例えば、複製禁止等の特定のオブジェクトの表示の有無、特定の文字や画像が含まれていることを基準として、読み取りに適しているか否か判断することができる。
【０１０２】
以上、本発明の実施形態を説明したが、本発明の範囲はこれに限定されず、発明の主旨を逸脱しない範囲で種々の変更を加えて実施することができる。
【産業上の利用可能性】
【０１０３】
本発明は、給紙装置やこれを備えた画像形成装置に利用可能である。
【符号の説明】
【０１０４】
１００  複合機（画像形成装置）          １      制御部
２      印刷部（ジョブ実行部）          ４      画像読取部
４１    送り読み取り用コンタクトガラス（読込位置）
４２    載置読取用コンタクトガラス（テーブル）
５      原稿搬送部                      ５１    原稿トレイ
５２ａ  給紙ローラー                    ５２ｂ  ピックアップローラー
５３    原稿搬送路                      ５４    搬送ローラー対
６      操作パネル                      ６１    表示パネル
８      撮像部                          ８１    撮像素子
８２    撮像データ生成部
【図１】
2018101844.tif 000003
【図２】
2018101844.tif 000004
【図３】
2018101844.tif 000005
【図４】
2018101844.tif 000006
【図５】
2018101844.tif 000007
【図６】
2018101844.tif 000008
【図７】
2018101844.tif 000009
【図８】
2018101844.tif 000010
【図９】
2018101844.tif 000011
【図１０】
2018101844.tif 000012
【図１１】
2018101844.tif 000013
【図１２】
2018101844.tif 000014